(57)【特許請求の範囲】
【請求項１】
加熱手段を有する加熱装置本体と、該加熱装置本体と通信可能に接続され、該加熱装置本体から作動用電源が供給される第１操作手段とからなり、該第１操作手段は、前記加熱装置本体に対して、前記加熱手段の連続運転の開始から終了までの制御指示を行う連続運転制御手段を有し、前記加熱装置本体は、前記第１操作手段からの指示に応じて前記加熱手段の動作を制御する加熱制御手段を有する加熱装置において、
前記第１操作手段に備えられた前記連続運転制御手段は、前記連続運転の実行中は前記連続運転の経過データを逐次前記加熱装置本体に送信し、
前記加熱装置本体は、前記第１操作手段から受信した前記経過データを保持する第１記憶手段を有し、
前記連続運転制御手段は、前記加熱装置本体から前記第１操作手段への作動用電源の供給が遮断され、その後該作動用電源の供給が回復したときには、前記加熱装置本体に対して前記経過データの返送を要求し、
前記加熱装置本体は、前記連続運転制御手段から前記経過データの返送要求があったときは、前記第１記憶手段に保持した前記経過データを前記第１操作手段に返送し、
前記連続運転制御手段は、前記加熱装置本体から返送された前記経過データを受信したときは、該経過データに基づいて前記連続運転の制御指示を継続することを特徴とする加熱装置。
【請求項２】
前記連続運転は、所定時間、前記加熱手段を連続運転させるタイマ運転であり、
前記連続運転制御手段は、前記所定時間を作動時間とするタイマを有し、前記連続運転の開始時に、該タイマの作動を開始すると共に、前記加熱装置本体に対して前記タイマ運転の開始指示を行い、また、該タイマのタイムアップ時に前記加熱装置本体に対して前記タイマ運転の停止指示を行い、
前記経過データは、前記タイマのタイムアップまでの残時間データであり、
前記連続運転制御手段は、該残時間データが前記加熱装置本体から返送されたときに、該残時間を作動時間として前記タイマを再起動し、前記タイマ運転の制御指示を継続することを特徴とする請求項１記載の加熱装置。
【請求項３】
前記第１操作手段に、前記タイマ運転の運転時間を設定する運転時間設定手段と、該運転時間設定手段により該タイマ運転の運転時間が設定された際に、該運転時間の設定データを前記加熱装置本体に送信する設定データ送信手段とを設け、
前記加熱装置本体に、前記第１操作手段から受信した前記運転時間の設定データを保持する第２記憶手段と、前記タイマ運転の終了後、該第２記憶手段に保持した前記設定データを前記第１操作手段に返送する設定データ返送手段とを設け、
前記第１操作手段は、前記加熱装置本体から前記設定データを受信したときに、該設定データに基づいて前記タイマ運転の運転時間を再設定することを特徴とする請求項２記載の加熱装置。
【請求項４】
前記加熱装置本体と通信可能に接続された第２操作手段を備え、
前記第１操作手段は、前記タイマ運転の残時間データを前記加熱装置本体を介して前記第２操作手段に送信し、
前記第２操作手段は、前記第１操作手段から受信した前記タイマ運転の残時間データに基づいて、前記タイマ運転終了までの残時間を表示する表示手段を有することを特徴とする請求項２又は３記載の加熱装置。
【発明の詳細な説明】
【０００１】
【発明の属する技術の分野】
本発明は、連続運転の制御機能を有する操作手段を備えた加熱装置に関する。
【０００２】
【従来の技術】
従来、例えば加熱装置である給湯器において、バーナ等の加熱手段を備えた給湯器本体と、該給湯器本体とケーブルにより通信可能に接続されると共に、給湯器本体から作動用電源が供給される操作手段（以下、リモコンという）とからなり、使用者がリモコンを操作することで、給湯器本体から離れた場所で該給湯器本体に対する運転指示を行えるようにしたものがある。
【０００３】
そして、浴槽への給湯を行う給湯器で、追い焚き機能を持たないものにあっては、給湯器本体に対して、浴槽に高温の湯を給湯することで浴槽の湯温を上昇させる、所謂高温差し湯運転の指示を行う機能を、リモコンに持たせたものがある。
【０００４】
この高温さし湯運転は、使用者が設定した時間（例えば、１分〜１５分までの任意の時間）の間、給湯器本体から浴槽に高温の湯が給湯されるように、給湯器本体を連続運転するものである。
【０００５】
また、同様に、浴槽の湯の温度が高すぎるときに、使用者が設定した時間の間、給湯器本体から浴槽に給水して浴槽の温度を下降させる、所謂差し水を行う機能を持たせたものもある。
【０００６】
このように、設定時間の間、給湯器本体を連続運転させるタイマ運転を行うため、リモコンには、運転時間の計測を行うタイマと、該タイマ運転の運転時間（高温差し湯時間、差し水時間）を設定する運転時間設定スイッチとが設けられる。そして、リモコンは、タイマ運転の開始時にタイマを起動すると共に加熱装置本体に対してタイマ運転の開始指示データを送信し、該タイマのタイムアップ時に加熱装置本体に対してタイマ運転の終了指示データを送信することで、タイマ運転の開始から終了までの制御指示を行う。
【０００７】
ところで、このように、給湯器本体から供給される電源によりリモコンを作動させる構成とすると、停電等により給湯器本体への電源供給が遮断されると、給湯器本体からリモコンへの作動用電源の供給も遮断される。そのため、前記運転時間設定スイッチにより設定されたタイマ運転時間の設定データが消失してしまい、使用者は給湯器本体への電源供給が回復した後に、タイマ運転時間を再設定しなければならないという煩わしさがある。
【０００８】
そこで、このような煩わしさが生じないよう、リモコンにＥＥＰＲＯＭ等の不揮発性メモリを設け、前記運転時間設定スイッチにより設定されたタイマ運転時間の設定データを、該不揮発性メモリに保持するようにしたものが知られている。
【０００９】
しかし、リモコンにＥＥＰＲＯＭ等の不揮発性メモリを設けると、リモコンの製造コストが上昇し、また、リモコンのサイズが大きくなってしまうという不都合があった。
【００１０】
この不都合を解消する方法として、従来から給湯器本体に備えられている、給湯器の運転履歴や調整値、及び学習値等を保持するための不揮発性メモリを流用し、前記リモコンの運転時間設定スイッチにより設定されたタイマ運転時間の設定データを、該リモコンから給湯器本体に転送し、給湯器本体の不揮発性メモリに保持することが考えられる。
【００１１】
この方法により、リモコンに不揮発性メモリを設けることなく、前記タイマ運転時間の設定データを停電発生時にも保持することができる。
【００１２】
しかし、本願発明者らは、この方法では、前記タイマ運転の実行中に、湿気等の影響により給湯器本体からリモコンへの作動用電源の供給が瞬間的に遮断されたときに、以下の不都合が生じることを知見した。
【００１３】
即ち、前記タイマ運転の実行中に停電が発生したときは、給湯器本体とリモコンが共に作動を停止するので問題はないが、給湯器本体に電源供給がなされている状態で、給湯器本体からリモコンへの作動用電源の供給が遮断されたときには、リモコンは作動を停止するものの、給湯器本体は作動状態にあるためタイマ運転を続行する。
【００１４】
そしてこのとき、それまで給湯器本体に対してタイマ運転の制御指示を行っていたリモコンに備えられたタイマの残時間データが消失してしまう。そのため、給湯器本体からリモコンへの作動用電源の供給が回復しても、リモコンは作動用電源の遮断発生時点でのタイマ運転の残時間データを使用してタイマ運転の制御指示を継続することはできず、給湯器本体の不揮発性メモリに保持されたタイマ運転時間の設定データを使用してタイマ運転の制御指示を再開することしかできないという不都合があった。
【００１５】
そして、このように、タイマ運転の設定データを使用してタイマ運転の制御指示を再開すると、当初使用者が希望したタイマ運転時間よりも長い時間タイマ運転が実行されるため、例えばタイマ運転が高温差し湯であったときには、使用者の意図した以上に浴槽の湯の温度が上昇し、その熱さにより使用者に不快感を与えてしまうという不都合があった。
【００１６】
【発明が解決しようとする課題】
本発明は、上記不都合を解消し、操作手段に不揮発性メモリを設けることなく、該操作手段への電源供給が瞬間的に遮断されても、該操作手段から加熱装置本体に対する連続運転の制御指示を継続することができる加熱装置を提供することを目的とする。
【００１７】
【課題を解決するための手段】
上記目的を達成するため、本発明は、加熱手段を有する加熱装置本体と、該加熱装置本体と通信可能に接続され、該加熱装置本体から作動用電源が供給される第１操作手段とからなり、該第１操作手段は、前記加熱装置本体に対して、前記加熱手段の連続運転の開始から終了までの制御指示を行う連続運転制御手段を有し、前記加熱装置本体は、前記第１操作手段からの指示に応じて前記加熱手段の動作を制御する加熱制御手段を有する加熱装置において、前記第１操作手段に備えられた前記連続運転制御手段は、前記連続運転の実行中は前記連続運転の経過データを逐次前記加熱装置本体に送信し、前記加熱装置本体は、前記第１操作手段から受信した前記経過データを保持する第１記憶手段を有し、前記連続運転制御手段は、前記加熱装置本体から前記第１操作手段への作動用電源の供給が遮断され、その後該作動用電源の供給が回復したときには、前記加熱装置本体に対して前記経過データの返送を要求し、前記加熱装置本体は、前記連続運転制御手段から前記経過データの返送要求があったときは、前記第１記憶手段に保持した前記経過データを前記第１操作手段に返送し、前記連続運転制御手段は、前記加熱装置本体から返送された前記経過データを受信したときは、該経過データに基づいて前記連続運転の制御指示を継続することを特徴とする。
【００１８】
かかる本発明によれば、前記第１操作手段に備えられた前記連続運転制御手段は、前記連続運転の実行中に、該連続運転の経過データを逐次前記加熱装置本体に送信する。そして、前記加熱装置本体は、前記連続運転制御手段から送信された前記経過データを前記第１記憶手段に保持する。
【００１９】
そのため、前記加熱装置本体から前記第１操作手段に供給される作動用電源が遮断されても、該加熱装置本体に電源が供給されている限り（前記第１記憶手段が不揮発性である場合は加熱装置本体への電源供給が遮断されても）前記第１記憶手段に保持された前記経過データは消失しない。即ち、前記第１操作手段に不揮発性の記憶手段を設けることなく、前記経過データが保持される。
【００２０】
そして、前記加熱装置本体から前記第１操作手段への作動用電源の供給が回復したときに、該加熱装置本体は、前記連続運転制御手段からの前記経過データの返送要求に応じて、前記第１記憶手段に保持された前記経過データを該第１操作手段に返送する。
【００２１】
そして、該第１操作手段に備えられた前記連続運転制御手段は、前記加熱装置本体から返送された前記経過データに基づいて前記連続運転の制御指示を継続する。そのため、前記加熱装置本体から前記第１操作手段への作動用電源の供給が瞬間的に遮断された場合であっても、前記第１操作手段は、前記加熱装置本体に対する制御指示を続行することができる。
【００２２】
尚、加熱装置本体に運転履歴データ等を保持する不揮発性の記憶手段を備えた加熱装置にあっては、該不揮発性の記憶手段を前記第１記憶手段に流用することで、加熱装置本体に新たに記憶手段を設けることが不要となる。
【００２３】
また、前記連続運転は、所定時間、前記加熱手段を連続運転させるタイマ運転であり、前記連続運転制御手段は、前記所定時間を作動時間とするタイマを有し、前記連続運転の開始時に、該タイマの作動を開始すると共に、前記加熱装置本体に対して前記タイマ運転の開始指示を行い、また、該タイマのタイムアップ時に前記加熱装置本体に対して前記タイマ運転の停止指示を行い、前記経過データは、前記タイマのタイムアップまでの残時間データであり、前記連続運転制御手段は、該残時間データが前記加熱装置本体から返送されたときに、該残時間を作動時間として前記タイマを再起動し、前記タイマ運転の制御指示を継続することを特徴とする。
【００２４】
かかる本発明によれば、前記第１操作手段に前記タイマ運転を実行するためのタイマを備えた加熱装置において、該タイマ運転の実行中は該タイマのタイムアップまでの残時間データが、該第１操作手段から前記加熱装置本体に送信され、前記加熱装置本体に備えられた前記第１記憶手段に逐次保持される。
【００２５】
そのため、前記加熱装置本体から前記第１操作手段への作動用電源の供給が遮断されても前記第１記憶手段に保持された前記残時間データは消失しない。そして、前記加熱装置本体から前記第１操作手段への作動用電源の供給が回復したときに、前記加熱装置本体が前記タイマ運転の実行中であったときには、前記タイマの残時間データが前記加熱装置本体から前記第１操作手段に返送される。
【００２６】
そして、前記第１操作手段に備えられた前記連続運転制御手段は、前記加熱装置本体から返送された残時間データを前記タイマの作動時間として該タイマを再起動し、前記タイマ運転の制御指示を継続する。そのため、前記第１操作手段は、前記加熱装置本体からの作動用電源が瞬間的に遮断された場合であっても、前記所定時間を運転時間とする、前記加熱装置本体に対するタイマ運転の制御指示を継続することができる。
【００２７】
また、前記第１操作手段に、前記タイマ運転の運転時間を設定する運転時間設定手段と、該運転時間設定手段により該タイマ運転の運転時間が設定された際に、該運転時間の設定データを前記加熱装置本体に送信する設定データ送信手段とを設け、前記加熱装置本体に、前記第１操作手段から受信した前記運転時間の設定データを保持する第２記憶手段と、前記タイマ運転の終了後、該第２記憶手段に保持した前記設定データを前記第１操作手段に返送する設定データ返送手段とを設け、前記第１操作手段は、前記加熱装置本体から前記設定データを受信したときに、該設定データに基づいて前記タイマ運転の運転時間を再設定することを特徴とする。
【００２８】
かかる本発明によれば、前記運転時間設定手段により前記タイマ運転の運転時間が設定された際に、該運転時間の設定データが前記設定データ送信手段により、前記加熱装置本体に送信され、該加熱装置本体に備えられた前記第２記憶手段に保持される。
【００２９】
そして、前記タイマ運転の終了後、前記第２記憶手段に保持された前記設定データが、前記設定データ返送手段により前記第１操作手段に返送され、前記運転時間設定手段により前記タイマ運転の運転時間が再設定される。
【００３０】
そのため、前記第１操作手段に保持する必要があるデータは、前記タイマ運転実行中の前記タイマの計測時間データのみであり、前記タイマ運転の運転時間の設定データを保持する必要はない。これにより、前記第１操作手段に保持するデータ量を減らすことができる。
【００３１】
尚、加熱装置本体に運転履歴データ等を保持する不揮発性の記憶手段を備えた加熱装置にあっては、該不揮発性の記憶手段を前記第２記憶手段に流用することで、加熱装置本体に新たに記憶手段を設けることが不要となる。
【００３２】
また、前記加熱装置本体と通信可能に接続された第２操作手段を備え、前記第１操作手段は、前記タイマ運転の残時間データを前記加熱装置本体を介して前記第２操作手段に送信し、前記第２操作手段は、前記第１操作手段から受信した前記タイマ運転の残時間データに基づいて、前記タイマ運転終了までの残時間を表示する表示手段を有することを特徴とする。
【００３３】
かかる本発明においては、前記第１操作手段の他に、前記タイマ運転の残時間を表示する前記第２操作手段が備えられ、前記第１操作手段から前記加熱装置本体を介して、前記第２操作手段に前記タイマ運転の残時間データが逐次送信される。
【００３４】
そのため、この場合には、前記第２操作手段で前記タイマ運転の残時間を表示するために、前記第１操作手段から逐次送信される残時間データを利用して、前記加熱装置本体の前記第１記憶手段に前記タイマ運転の残時間データを保持することができ、前記第１操作手段からの送信データ量を増やすことなく、前記タイマ運転の残時間データの保持処理を実行できる。
【００３５】
【発明の実施の形態】
本発明の実施の形態の一例を図１〜図７を参照して説明する。図１は本発明の加熱装置である給湯装置の全体構成図、図２は図１に示した給湯装置の制御ブロック図、図３は図１に示した給湯装置に備えたリモコンの外観図、図４，図５は該リモコンの動作フローチャート、図６，図７は図１に示した給湯装置に備えたコントローラの動作フローチャートである。
【００３６】
図１を参照して、本実施の形態の給湯装置は、浴槽１に湯を給湯する給湯器２と、給湯器２の動作を制御するコントローラ３と、コントローラ３から作動用電源が供給され、使用者の操作に応じてコントローラ３に給湯動作の指示を与える第１操作手段４（以下、風呂リモコンという）と第２操作手段５（以下、メインリモコンという）とからなる。
【００３７】
給湯器２は、燃焼室６と、燃焼室６内に設けられた加熱手段であるバーナ７と、バーナ７により給湯管８内の水を加熱する熱交換器９と、バーナ７の点火を行う点火電極１０と、バーナ７の燃焼状態を検出する炎センサであるフレームロッド１１とを備える。
【００３８】
燃焼室６の下方にはバーナ７に燃焼用空気を供給する送風ファン１２が設けられ、バーナ７には元電磁弁１３，給湯電磁弁１４，及び比例弁１５を介してガス供給管１６から燃料ガスが供給される。また、第１切換電磁弁１７と第２切換電磁弁１８とにより、バーナ７の燃料ガスが供給される範囲が変更される。
【００３９】
給湯管８は湯張り電磁弁１９を介して浴槽１に接続され、熱交換器９で加熱された湯が浴槽１に給湯される。また、給湯管８には給湯器２に供給される水の流量を検出する流量センサ２０と、給湯器２から給湯される湯の流量を調節する水量調節弁である湯量サーボ２１と、給湯器２から給湯される湯の温度を検出する出湯温度センサ２２とが設けられている。
【００４０】
図２を参照して、風呂リモコン４とコントローラ３とは、通信ポート３０，４０を介して通信可能に接続され、また、メインリモコン５とコントローラ３とは、通信ポート３０，５０を介して通信可能に接続される。これにより、コントローラ３は、風呂リモコン４及びメインリモコン５との間で給湯制御信号等の送受信を行うことができる。尚、風呂リモコン４は浴室に設置され、メインリモコン５は台所等、浴室とは別の場所に設置される。
【００４１】
コントローラ３は、第１制御手段３２により全体制御がなされ、本発明の加熱制御手段である給湯制御部３３，湯張り制御部３４，第１記憶手段３５，及び第２記憶手段３６を有する。
【００４２】
第１制御手段３２は、本発明の設定データ返送手段を含み、風呂リモコン４及びメインリモコン５から受信した給湯制御信号に応じて、給湯制御部３３に目標給湯温度と給湯流量、及び浴槽１への給湯の開始と停止を指示し、湯張り制御部３４に対して湯張り量と湯張り運転の開始を指示する。
【００４３】
給湯制御部３３は、第１制御手段３２から指示された目標給湯温度と、出湯温度センサ２２の検出温度とが一致するように、送風ファン１２，元電磁弁１３，給湯電磁弁１４，比例弁１５，第１切換電磁弁１７，及び第２切換電磁弁１８を制御してバーナ７による熱交換器９への加熱量を調節し、浴槽１への給湯の開始指示と停止指示とに応じて湯張り電磁弁１９を開閉する。また、給湯制御部３３は、第１制御手段３２から指示された給湯流量の指示に応じて湯量サーボ２１の作動量を調節する。
【００４４】
湯張り制御部３４は、第１制御手段３２による湯張り運転の開始指示に応じて、湯張り電磁弁１９を開弁すると共に流量センサ２０により検出される給湯器２への給水流量の累積を開始し、該給水流量の累積値が指定された湯張り量以上となったときに、湯張り電磁弁１９を閉弁する。
【００４５】
また、詳細は後述するが、第１記憶手段３５と第２記憶手段３６は、風呂リモコン４から送信されるタイマ４５の残時間データと作動時間の設定データをそれぞれ保持するためのものである。
【００４６】
風呂リモコン４は、本発明の設定データ送信手段を含む第２制御手段４１により全体制御がなされ、本発明の連続運転制御手段であるタイマ運転制御手段４２、第１操作手段４３、及び第１表示手段４４を有する。
【００４７】
タイマ運転制御手段４２は、タイマ４５とインターバルタイマ４６とを有し、コントローラ３に対して、タイマ４５の作動時間の間、給湯器２から浴槽１への給湯或いは給水を行うタイマ運転の制御指示を行う。尚、インターバルタイマ４６については後述する。
【００４８】
第１操作手段４３は、図３ａに示すように、給湯装置全体の運転開始と運転停止を指示する運転スイッチ６０、湯張り運転の開始を指示する自動スイッチ６１、高温差し湯運転の開始を指示する高温差し湯スイッチ６２、差し水運転の開始を指示する差し水スイッチ６３、湯張り運転における給湯温度（以下、湯張り温度という）を設定する湯張り温度スイッチ６４、湯張り運転における給湯量（以下、湯張り量という）を設定する湯量スイッチ６５、高温差し湯運転における給湯時間（以下、高温差し湯時間という）を設定する高温差し湯タイマスイッチ６６、差し水運転における給水時間（以下、差し水時間という）を設定する差し水タイマスイッチ６７、及び湯張り、高温差し湯、差し水の各運転が実行されていないときの給湯温度（以下、通常給湯温度という）を設定する給湯温度スイッチ６８を有する。尚、高温差し湯タイマスイッチ６６と、差し水タイマスイッチ６７が、本発明の運転時間設定手段に相当し、これらの操作によりタイマ４５の作動時間が設定される。
【００４９】
第２制御手段４１は、使用者による第１操作手段４３の操作に応じて、コントローラ３に給湯目標温度等の指示データを送信し、タイマ運転制御手段４２に対してタイマ運転の開始を指示する。また、第２制御手段４１は、第１操作手段により設定された温度や時間、及びコントローラ３から送信される実際の給湯温度等を第１表示手段４４に表示する。
【００５０】
メインリモコン５は、第３制御手段５１により全体制御がなされ、第２操作手段５２と、第２表示手段５３と、時計５４とを有する。
【００５１】
第２操作手段５２は、図３ｂに示すように、風呂用給湯器全体の運転開始と運転停止とを指示する運転スイッチ７０、湯張り運転の開始を指示する自動スイッチ７１、前記通常給湯温度を設定する給湯温度スイッチ７２、時計５４の現在時刻を変更する時間設定スイッチ７３、使用者が湯張り運転が開始されることを希望する時刻である予約時刻を設定する予約設定スイッチ７４、時間スイッチ７５、及び湯張り運転の予約をセットする予約運転スイッチ７６を有する。
【００５２】
使用者が時間設定スイッチ７３を操作すると、メインリモコン５は時計設定モードとなり、使用者はこの状態で時間スイッチ７５を操作して時計５４の現在時刻を変更する。また、使用者が予約設定スイッチ７４を操作すると、メインリモコン５は予約時間設定モードとなり、使用者はこの状態で時間スイッチ７５を操作して湯張り運転の希望開始時間を設定する。そして、使用者が予約運転スイッチ７６を操作すると、湯張り運転の予約がセットされ、第３制御手段５１は、時計５４の時刻が前記予約モードで設定された予約時刻になった時に、湯張り運転を開始するよう、コントローラ３に指示データを送信する。
【００５３】
また、第３制御手段５１は、第２操作手段５２により設定された温度や時間、及びコントローラ３から送信される実際の給湯温度等を第２表示手段５３に表示する。
【００５４】
次に、図４〜図７を参照して、使用者が風呂リモコン４の第２操作手段４３に備えられた高温差し湯スイッチ６２、或いは差し水スイッチ６３を操作したときの、風呂リモコン４とコントローラ３間の通信制御動作について説明する。尚、上述したように、図４，図５は風呂リモコン４の動作フローチャートであり、図６，図７はコントローラ３の動作フローチャートである。
【００５５】
図４を参照して、風呂リモコン４は、コントローラ３からの作動用電源の供給により動作を開始し、ＳＴＥＰ１でコントローラ３に対してタイマ４５の作動時間の設定データの返送要求信号を送信する。
【００５６】
図６を参照して、コントローラ３の第１制御手段３２は、風呂リモコン４からのタイマ４５の作動時間の設定データの返送要求信号を受信すると、ＳＴＥＰ５０，ＳＴＥＰ７０，ＳＴＥＰ７２のループのＳＴＥＰ７２からＳＴＥＰ７３に進み、第２記憶手段３６に該設定データを保持していたときは、ＳＴＥＰ７４に進んで該設定データを風呂リモコン４に返送する。このように、タイマ４５の作動時間の設定データは、コントローラ３に保持されているので、風呂リモコン４でタイマ４５の作動時間の設定データを保持する必要はない。
【００５７】
図４を参照して、風呂リモコン４は、コントローラ３からタイマ４５の作動時間の設定データを受信したときは、ＳＴＥＰ３からＳＴＥＰ２１に分岐して、該設定データをタイマ４５の作動時間とし、ＳＴＥＰ６に進む。尚、コントローラ３からタイマ４５の作動時間の設定データが返送されなかったときは、ＳＴＥＰ４で、使用者によるタイマ運転時間の設定待ちとなる。
【００５８】
ＳＴＥＰ６，ＳＴＥＰ３０の待ちループで、使用者が高温差し湯スイッチ６２、或いは差し水スイッチ６３を操作してタイマ運転の開始指示を行うと、ＳＴＥＰ６からＳＴＥＰ７に進んで風呂リモコン４からコントローラ３に、給湯モード（高温差し湯モード、或いは差し水モード）の指示データが送信される。
【００５９】
続いて、風呂リモコン４に備えたタイマ運転制御手段４２は、ＳＴＥＰ８で第２制御手段４１を介してタイマ運転の開始指示データを送信し、ＳＴＥＰ９でタイマ４５を起動し、ＳＴＥＰ１０でインターバルタイマ４６を起動する。
【００６０】
図６を参照して、コントローラ３は、風呂リモコン４からタイマ運転の開始指示データを受信すると、ＳＴＥＰ５０，ＳＴＥＰ７０，ＳＴＥＰ７２の待ちループからＳＴＥＰ５１に進み、高温差し湯モードの指示データを受信したときはＳＴＥＰ５２で、給湯制御部３３が給湯器２の目標給湯温度を所定の高温差し湯温度（例えば８０℃）とし、ＳＴＥＰ５３で給湯器２の作動を開始し（差し水モードのときはこのＳＴＥＰ５２，ＳＴＥＰ５３の処理は不要）、ＳＴＥＰ５４で湯張り電磁弁１９を開弁して、浴槽１への給湯（高温差し湯モード）、或いは給水（差し水モード）を開始する。
【００６１】
図５を参照して、風呂リモコン４のタイマ運転制御手段４２は、タイマ運転の開始指示データの送信後、ＳＴＥＰ１２でタイマ４５がタイムアップするまでの間、ＳＴＥＰ１１でインターバルタイマ４６がタイムアップする毎に、ＳＴＥＰ４０に分岐して、ＳＴＥＰ４０で第２制御手段４１を介してタイマ４５の残時間データをコントローラ３に送信し、ＳＴＥＰ４１でインターバルタイマ４６を再起動する。これにより、インターバルタイマ４６の作動時間が経過する毎に、風呂リモコン４からコントローラ３に、タイマ４５の残時間データが送信される。
【００６２】
図７を参照して、コントローラ３の第１制御手段３２は、ＳＴＥＰ５５で風呂リモコン４からタイマ４５の残時間データを受信すると、ＳＴＥＰ８０に分岐して該残時間データを第１記憶手段３５に保持する。
【００６３】
ここで、タイマ運転の実行中に、コントローラ３から風呂リモコン４への作動用電源の供給が湿気等の影響により、瞬間的に遮断したときのコントローラ３と風呂リモコン４の動作について説明する。
【００６４】
コントローラ３から風呂リモコン４への作動用電源の供給が遮断されると、風呂リモコンは作動不能となり、該作動用電源の供給回復時に図４のＳＴＥＰ１から動作を再開し、ＳＴＥＰ１でコントローラ３に対してタイマ４５の作動時間の設定データの返送要求信号を送信する。
【００６５】
一方このとき、コントローラ３は、タイマ運転を続行しており、図７のＳＴＥＰ５５〜ＳＴＥＰ５７のループを実行中である。ここでコントローラ３の第１制御手段３２は、風呂リモコン４から、タイマ４５の作動時間の設定時間データの返送要求信号を受信すると、ＳＴＥＰ５６からＳＴＥＰ９０に分岐して、第１記憶手段３５に保持していたタイマ４５の残時間データを風呂リモコン４に返送する。
【００６６】
図４を参照して、風呂リモコン４は、ＳＴＥＰ２でコントローラ３からタイマ４５の残時間データを受信すると、ＳＴＥＰ２０に分岐し、タイマ運転制御手段４２は、受信した残時間データに基づいてタイマ４５の作動時間を設定してＳＴＥＰ９に進む。そしてタイマ運転制御手段４２は、ＳＴＥＰ９でタイマ４５を再起動するので、コントローラ３から返送された残時間を作動時間としてタイマ運転の制御が再開される。
【００６７】
そのため、タイマ運転の実行中に、コントローラ３から風呂リモコン４への作動用電源の供給が瞬間的に遮断されても、風呂リモコン４は、コントローラ３へのタイマ運転の制御指示を継続することができる。
【００６８】
そして、図５を参照して、風呂リモコン４のタイマ運転制御手段４２は、ＳＴＥＰ１２でタイマ４５がタイムアップしたときに、ＳＴＥＰ１３に進んで第１制御手段３２を介してコントローラ３にタイマ運転の終了指示データを送信する。
【００６９】
図７を参照して、コントローラ３は、風呂リモコン４からのタイマ運転の終了指示データを受信すると、ＳＴＥＰ５７からＳＴＥＰ５８に進み、高温差し湯モードであったときは、ＳＴＥＰ５９で給湯制御部３３により給湯器２の作動を停止して（差し水モードであったときにはこの処理は不要）、ＳＴＥＰ６０で湯張り電磁弁１９を閉弁して浴槽１への給湯（高温差し湯モードの場合）、或いは給水（差し水モードの場合）を停止してタイマ運転を終了する。
【００７０】
また、図４を参照して、ＳＴＥＰ６，ＳＴＥＰ３０のループで、使用者が風呂リモコン４の高温差し湯タイマスイッチ６６、或いは差し水タイマスイッチ６７を操作してタイマ運転時間の設定を行うと、ＳＴＥＰ３０からＳＴＥＰ５に進み、第２制御手段４１はこれらのスイッチにより設定されたタイマ運転時間の設定データをタイマ４５の作動時間の設定データとしてコントローラ３に送信する。
【００７１】
図６を参照して、コントローラ３は、風呂リモコン４からタイマ４５の作動時間の設定データを受信すると、ＳＴＥＰ５０，ＳＴＥＰ７０，ＳＴＥＰ７２の待ちループのＳＴＥＰ７０からＳＴＥＰ７１に進み、第１制御手段３２は受信したタイマ４５運転時間の設定データを第２記憶手段３６に保持する。
【００７２】
このように、風呂リモコン４で設定されたタイマ運転時間の設定データがコントローラ３に備えられた第２記憶手段３６に保持されるので、コントローラ３から風呂リモコン４への作動用電源の供給が遮断されても、タイマ運転時間の設定データは消失しない。そのため、風呂リモコン４にタイマ運転時間の設定時間を保持する記憶手段を設ける必要がなく、また、使用者はタイマ運転を行う度にタイマ運転時間を設定する必要がない。
【００７３】
また、風呂リモコン４からコントローラ３にタイマ４５の残時間データを送信する時は、該残時間データがメインリモコン５へも送信されるため、風呂リモコン４からの送信データ量を増やすことなく、メインリモコン５でタイマ運転の残時間を表示させることができる。
【００７４】
尚、本実施の形態では、加熱装置として、給湯装置を例に説明したが他の種類の加熱装置、例えば温風暖房機や食器洗浄機等に対しても本発明の適用が可能である。
【００７５】
また、連続運転としてタイマ運転を例に説明したが、他の連続運転であっても、リモコンから加熱装置本体に対して、制御指示を与えて行うものであれば、本発明の適用が可能である。例えば温風暖房機において、リモコンに温度センサを設け、該温度センサの検出温度が所定の温度変化パターンに合致するように、リモコンから温風暖房機に対して発熱量の制御指示を与えるような場合である。
【図面の簡単な説明】
【図１】本発明の加熱装置である給湯装置の全体構成図。
【図２】図１に示した給湯装置の制御ブロック図。
【図３】図１に示した給湯装置に備えたリモコンの外観図。
【図４】図１に示した給湯装置に備えた風呂リモコンの動作フローチャート。
【図５】図１に示した給湯装置に備えた風呂リモコンの動作フローチャート。
【図６】図１に示した給湯装置に備えたコントローラの動作フローチャート。
【図７】図１に示した給湯装置に備えたコントローラの動作フローチャート。
【符号の説明】
１…浴槽、２…給湯器、３…コントローラ、４…風呂リモコン、５…メインリモコン、６…燃焼室、７…バーナ、８…給湯管、９…熱交換器、１０…点火電極、１１…フレームロッド、１２…送風ファン、１３…元電磁弁、１４…給湯電磁弁、１５…比例弁、１６…ガス供給管、１７…第１切換電磁弁、１８…第２切換電磁弁、１９…湯張り電磁弁、２０…流量センサ、２１…湯量サーボ、２２…出湯温度センサ、３０…通信ポート、３２…第１制御手段、３３…給湯制御部、３４…湯張り制御部、３５…第１記憶手段、３６…第２記憶手段、４０…通信ポート、４１…第２制御手段、４２…タイマ運転制御手段、４３…第１操作手段、４４…第１表示手段、４５…タイマ、４６…インターバルタイマ、５０…通信ポート、５１…第３制御手段、５２…第２操作手段、５３…第２表示手段、５４…時計、６０…運転スイッチ、６１…自動スイッチ、６２…高温差し湯スイッチ、６３…差し水スイッチ、６４…湯張り温度スイッチ、６５…湯量スイッチ、６６…高温差し湯タイマスイッチ、６７…差し水タイマスイッチ、６８…給湯温度スイッチ、７０…運転スイッチ、７１…自動スイッチ、７２…給湯温度スイッチ、７３…時間設定スイッチ、７４…予約設定スイッチ、７５…時間スイッチ、７６…予約運転スイッチ
【図１】
0003544459.tif 000002
【図２】
0003544459.tif 000003
【図３】
0003544459.tif 000004
【図４】
0003544459.tif 000005
【図５】
0003544459.tif 000006
【図６】
0003544459.tif 000007
【図７】
0003544459.tif 000008